(57)【要約】【課題】ボールペン又はシャープペンシル等の筆記機能を備え、水に触れても支障のない発光体が備えられた筆記具を提供する。【解決手段】筆記具１０は、筆記具本体１１と、筆記具本体１１に形成された収納部１２に取り出し可能に嵌入され、水に触れても支障がなく発光のために電源を要しない棒状化学発光体１３とを有し、発光状態の棒状化学発光体１３を収納部１２に装着して、外部に光を発する照明器具となり、その光により暗闇環境下での字の記載を可能とする。【選択図】図１
0003154286.tif 000002
【実用新案登録請求の範囲】
【請求項１】
筆記具本体と、該筆記具本体に形成された収納部に取り出し可能に嵌入される棒状化学発光体とを有し、発光状態の前記棒状化学発光体を前記収納部に装着して、外部に光を発する照明器具となることを特徴とする筆記具。
【請求項２】
請求項１記載の筆記具において、前記収納部は前記筆記具本体の先部に設けられ、該筆記具本体の基部には、前記棒状化学発光体を収納する予備収納部が形成されていることを特徴とする筆記具。
【請求項３】
請求項１又は２記載の筆記具において、前記収納部は前記棒状化学発光体の一部を露出させ、前記筆記具本体の先部には、前記収納部にある前記棒状化学発光体の露出部を覆う取り外し可能な第１のキャップが装着され、
前記筆記具本体の基部には、基側方向に突出して封筒切りが設けられていると共に、前記予備収納部及び前記封筒切りを覆う取り外し可能な第２のキャップが装着されていることを特徴とする筆記具。
【請求項４】
請求項３記載の筆記具において、前記第２のキャップに拡大レンズが設けられていることを特徴とする筆記具。
【請求項５】
請求項３記載の筆記具において、前記筆記具本体の中央に拡大レンズが設けられていることを特徴とする筆記具。
【請求項６】
請求項３〜５のいずれか１項に記載の筆記具において、前記筆記具本体の基部又は前記第２のキャップには、該筆記具本体を衣服のポケットに取り付ける固定フックが設けられていることを特徴とする筆記具。
【請求項７】
請求項１〜６のいずれか１項に記載の筆記具において、前記筆記具本体には、断面が半円状に形成され、透明な部材で形成された胴体部が設けられ、該胴体部の平坦な底面には、長さ目盛りが印字されていることを特徴とする筆記具。
【請求項８】
請求項１〜６のいずれか１項に記載の筆記具において、前記筆記具本体は、円柱状に形成された胴体部と、該胴体部に固着され、前記胴体部の軸心方向に沿って配置された板状の定規部とを有し、該定規部には、長さ目盛りが印字されていることを特徴とする筆記具。
【考案の詳細な説明】
【技術分野】
【０００１】
本考案は、ボールペン又はシャープペンシル等の筆記機能を備える筆記具に関する。
【背景技術】
【０００２】
夜間の照明設備のない屋外等の暗闇環境下で、文字を書く場合、筆記具に手元を照らせる機能を設ければ、筆記具以外に照明器具を用いることなく、文字を書くことができる。また、筆記具は、一般的に携帯性に優れるため、短時間だけ暗闇で文字を書く場合や、暗闇で文字を記載する機会の有無が不明確な場合に、手元を照らせる筆記具を携帯すれば、照明機能を備えたヘルメット等をわざわざ持ち運ぶ必要がなく、便利である。
そして、手元を照らす発光体を設けた筆記具の具体例が、例えば特許文献１に開示されている。
【先行技術文献】
【特許文献】
【０００３】
【特許文献１】特開２０００−７１６８２号公報
【考案の概要】
【考案が解決しようとする課題】
【０００４】
しかしながら、特許文献１に記載された筆記具は、発光体が導線により電池に接続されており、水辺付近で用いられる場合や、筆記具を把持する手が濡れている場合等に、発光体、導線及び電池に水が接触するのを防止するための防水構造を備える必要があり、筆記具を構成する部材、部品の点数が増加するという問題がある。
本考案はかかる事情に鑑みてなされたもので、水に触れても支障のない発光体が備えられた筆記具を提供することを目的とする。
【課題を解決するための手段】
【０００５】
前記目的に沿う本考案に係る筆記具は、筆記具本体と、該筆記具本体に形成された収納部に取り出し可能に嵌入される棒状化学発光体とを有し、発光状態の前記棒状化学発光体を前記収納部に装着して、外部に光を発する照明器具となる。
【０００６】
本考案に係る筆記具において、前記収納部は前記筆記具本体の先部に設けられ、該筆記具本体の基部には、前記棒状化学発光体を収納する予備収納部が形成されているのが好ましい。
【０００７】
本考案に係る筆記具において、前記収納部は前記棒状化学発光体の一部を露出させ、前記筆記具本体の先部には、前記収納部にある前記棒状化学発光体の露出部を覆う取り外し可能な第１のキャップが装着され、前記筆記具本体の基部には、基側方向に突出して封筒切りが設けられていると共に、前記予備収納部及び前記封筒切りを覆う取り外し可能な第２のキャップが装着されているのが好ましい。
【０００８】
本考案に係る筆記具において、前記第２のキャップに拡大レンズが設けられているのが好ましい。
【０００９】
本考案に係る筆記具において、前記筆記具本体の中央に拡大レンズを設けることもできる。
【００１０】
本考案に係る筆記具において、前記筆記具本体の基部又は前記第２のキャップには、該筆記具本体を衣服のポケットに取り付ける固定フックが設けられているのが好ましい。
【００１１】
本考案に係る筆記具において、前記筆記具本体には、断面が半円状に形成され、透明な部材で形成された胴体部が設けられ、該胴体部の平坦な底面には、長さ目盛りが印字されているのが好ましい。
【００１２】
本考案に係る筆記具において、前記筆記具本体は、円柱状に形成された胴体部と、該胴体部に固着され、前記胴体部の軸心方向に沿って配置された板状の定規部とを有し、該定規部には、長さ目盛りが印字されているのが好ましい。
【考案の効果】
【００１３】
請求項１〜８記載の筆記具は、棒状化学発光体を有するので、水に触れても支障のない発光体により周囲を照らすことが可能である。また、棒状化学発光体は電源を用いることなく発光するため、電池等の電源を要する例えば豆電球等を備えるのに比べ筆記具を構成する部材、部品の点数を少なくすることが可能である。
【００１４】
特に、請求項２記載の筆記具は、収納部が筆記具本体の先部に設けられているので、収納部に嵌入された棒状化学発光体が発光した状態で文字等を書く場合、筆記具本体を把持した手の影が筆記具本体の先側に生じるのを防ぐことが可能である。また、筆記具本体の基部には、棒状化学発光体を収納する予備収納部が設けられているので、筆記具を照明器具として使用する必要のない場合は、棒状化学発光体を予備収納部に収納しておくことができ、棒状化学発光体の存在を気にすることなく文字等を記載可能である。
【００１５】
請求項３記載の筆記具は、筆記具本体に、封筒切りが備えられているので、字の記載以外に、封筒切りとしても使用可能である。
また、筆記具本体の基部には、予備収納部を覆う第２のキャップが装着されているので、持ち運びの振動等により予備収納部から棒状化学発光体が飛び出ても、その棒状化学発光体を第２のキャップで覆われた空間内に閉じ込めることができ、棒状化学発光体の紛失を防ぐことが可能である。
更に、筆記具本体の基部に装着された第２のキャップは封筒切りを覆うので、封筒切りを使用しないとき、露出した封筒切りにより手を切る等の問題を未然に防ぐことが可能である。
【００１６】
請求項４記載の筆記具は、第２のキャップに拡大レンズが設けられているので、第２のキャップを筆記具本体から取り外し、拡大レンズで文字を拡大して見ながら筆記具本体で文字を記載することが可能である。また、拡大レンズの使用を予定していなかったときに、文字等を拡大して視認する必要が生じた場合、第２のキャップの拡大レンズを用いることができ、突然の要求に応じることが可能である。
【００１７】
請求項５記載の筆記具は、筆記具本体の中央に拡大レンズが設けられているので、筆記具本体を文字等の記載だけでなく、文字等を拡大して見るためにも使用することができ、筆記具とは別に拡大レンズを持ち運ぶ煩わしさを解消することができる。
【００１８】
請求項６記載の筆記具は、固定フックが設けられているので、衣服のポケットに筆記具を固定しておき、ポケットから取外して直ぐに使用できる状態で筆記具を保持することが可能である。
【００１９】
請求項７記載の筆記具は、透明な部材で形成された胴体部の底面に、長さ目盛りが印字されているので、胴体部の底面を長さを計測する対象物に当て、胴体部の上部から長さ目盛りを視認して長さを計測することが可能である。
【００２０】
請求項８記載の筆記具は、円柱状に形成された胴体部と、板状の定規部とを有するので、定規機能を確保した上で、筆記具として把持しやすい円柱状の部位を設けることが可能である。
【図面の簡単な説明】
【００２１】
【図１】本考案の第１の実施の形態に係る筆記具の平面図である。
【図２】同筆記具の側面図である。
【図３】同筆記具の筆記具本体の断面図である。
【図４】本考案の第２の実施の形態に係る筆記具の平面図である。
【図５】同筆記具の側面図である。
【図６】本考案の第３の実施の形態に係る筆記具の平面図である。
【図７】同筆記具の側面図である。
【図８】同筆記具の筆記具本体の断面図である。
【考案を実施するための形態】
【００２２】
続いて、添付した図面を参照しつつ、本考案を具体化した実施の形態につき説明し、本考案の理解に供する。
図１〜図３に示すように、本考案の第１の実施の形態に係る筆記具１０は、ボールペン機能を有する筆記具本体１１と、筆記具本体１１に形成された収納部１２に取り出し可能に嵌入される棒状化学発光体１３とを有し、発光状態の棒状化学発光体１３を収納部１２に装着して、外部に光を発する照明器具となるものである。以下詳細に説明する。
【００２３】
筆記具本体１１の先端部１１ａと基端部１１ｂを除く部分には、断面が半円状に形成され、透明な部材の一例である透明なプラスチックで形成された胴体部１４が設けられている。
そして、筆記具本体１１の先端部１１ａの先側位置には、ボールペンのインクが出るペン先部１５が備えられ、このペン先部１５に連続して形成され、ボールペンのインクが注入された棒状のカートリッジ１７が先端部１１ａと胴体部１４に内蔵されている。
また、筆記部本体１１の先部１１ｃには、胴体部１１の軸方向に（カートリッジ１７と平行に）形成された細長の穴からなる収納部１２が設けられている。
これにより、発光した棒状化学発光体１３を収納部１２に嵌入させた状態で文字等を書く場合、記載者が胴体部１４の先部と中央部の間に位置する把持部を把持しても、その記載者の手の影が、ペン先部１５付近に現れることはない。
【００２４】
また、収納部１２には棒状化学発光体１３の一部が露出した状態で嵌入されるが、この露出した棒状化学発光体１３の先端は、ペン先部１５の先端より後退位置（基部側）にあり、紙にペン先部１５を接触させ文字等を記載する際に、収納部１２に嵌入された棒状化学発光体１３の先端は紙に接触せず、記載の妨げにはならない。
筆記具本体１１の先部１１ｃには、収納部１２にある棒状化学発光体１３の露出部（筆記具本体１１から露出した部分）及びペン先部１５を覆い、筆記具本体１１から取り外し可能な第１のキャップ１６が装着されている。なお、第１のキャップ１６の内側には、第１のキャップ１６を筆記具本体１１に固定する突部が形成されており、筆記具本体１１の先部１１ｃの外周には、この第１のキャップ１６の突部に対応した環状の溝が設けられている。
【００２５】
胴体部１４の平坦な底面には、胴体部１４の軸方向に沿ってミリメートル単位の長さ目盛りが印字されている。胴体部１４は、透明なプラスチック素材で形成されているので、胴体部１４の底面に印字された長さ目盛りは胴体部１４の上部から視認可能である。なお、予備収納部２０は、胴体部１４に印字された長さ目盛りが、平面視して、予備収納部２０に収納された棒状化学発光体１３と重なり、その一部が見えなくなるのを避ける位置に形成されている。
また、胴体部１４の底縁部１８は、直線状に形成されているので、胴体部１４の底面の長さ目盛りを確認しながら底縁部１８に沿って所望の長さの直線をひくことができる。
【００２６】
筆記具本体１１の基部１１ｄには、複数の棒状化学発光体１３を収納する予備収納部２０が形成されている。そして、棒状化学発光体１３を収納部１２に嵌入して使用する場合、棒状化学発光体１３は、予備収納部２０から取り出され、発光状態にされた後に、収納部１２に嵌入されて用いられる。
ここで、棒状化学発光体１３として、例えばケミホタル（登録商標）を用いることができ、棒状化学発光体１３は、屈曲されることで、内部で蛍光物質と活性剤が混ざり合い、化学反応を起こして発光するので、発光のために電源を要さない。
【００２７】
従って、筆記具１０は、電源を要する発光体（例えば豆電球）以外に電池や、電池と発光体を接続する導線等を必要とする従来の筆記具に比べて構成部材、部品点数を少なくすることができる。また、棒状化学発光体１３は水に触れても支障がなく、筆記具本体１１を水が付着した手で扱うことや、突然の雨等に備えて、筆記具本体１１に防水機構を設ける必要がないので、筆記具本体１１の構造が複雑になるのを回避できる。
【００２８】
棒状化学発光体１３は、時間の経過と共に輝度が減少し、発光を開始してから、例えば３〜５時間後には、文字等を記載するのに十分な光を発せなくなるが、短時間文字を記載するのに問題となる時間ではなく、また、明るさが不十分となった棒状化学発光体１３を収納部１２から取り外し、予備収納部２０から棒状化学発光体１３を取り出して、発光させた上で収納部１２に嵌入させることで、文字の記載を続けることができる。
更に、複数の棒状化学発光体１３を発光状態にして予備収納部２０に収納させれば、周囲を照らす輝度の光を発することができ、簡易的な照明器具として用いることも可能である。
【００２９】
また、筆記具本体１１の基部１１ｄには、基側方向に突出する封筒切り２４と、筆記具本体１１を衣服のポケットに取り付ける固定フック２５とが備えられると共に、予備収納部２０及び封筒切り２４を覆う取り外し可能な第２のキャップ２６が装着されている。
封筒切り２４を使用しないとき、第２のキャップ２６を筆記具本体１１の基部１１ｄに取り付け、封筒切り２４を覆えば、筆記具１０を文字等を書くのに使用する際や、持ち運びの際に、封筒切り２４により手を切る等の問題を回避可能である。
【００３０】
また、第２のキャップ２６には、拡大レンズ２７が設けられているので、文字等を拡大して見ることができる。
第１、第２のキャップ１６、２６は、光が透過する透光部材で形成されており、第１、第２のキャップ１６、２６で覆われた状態で、棒状化学発光体１３を発光させても、その光により周囲を照らすことが可能である。
【００３１】
次に、本考案の第２の実施の形態に係る筆記具４０について説明する。
なお、筆記具１０と同一の構成要素については同一の符号を付して詳しい説明を省略する（以下の実施の形態においても同じ）。
図４、図５に示すように、本考案の第２の実施の形態に係る筆記具４０は、筆記具１０において、第２のキャップ２６に拡大レンズ２７が設けられているのに代えて、筆記具本体４１の中央下部、即ち、胴体部４２の中央下部に拡大レンズ４３が設けられている。
【００３２】
固定フック２５及びカートリッジ４４は、拡大レンズ４３の配置領域を避けて設けられているので、拡大レンズ４３により文字等を拡大して見る際に、固定フック２５及びカートリッジ４４が視界を遮るのを回避できる。そして、胴体部４２は外周部が透明のプラスチック素材で形成されているので、拡大レンズ４３で拡大した文字を胴体部４２の上部から見ることが可能である。
また、筆記具本体４１の基部１１ｄには、拡大レンズのない第２のキャップ４５が装着されている。
【００３３】
次に、本考案の第３の実施の形態に係る筆記具６０について説明する。
図６〜図８に示すように、本考案の第３の実施の形態に係る筆記具６０は、筆記具本体６１が、円柱状に形成された胴体部６２と、胴体部６２に固着され、胴体部６２の軸心方向に沿って配置された板状の定規部６３とを有し、定規部６３には、長さ目盛りが印字されている。なお、胴体部６２には、長さ目盛りが印字されておらず、胴体部６２の上部から長さ目盛りを見る際に、予備収納部２０に収納された棒状化学発光体１３が長さ目盛りの上部に被さることはなく、予備収納部２０を、平面視して胴体部６２の軸と垂直方向に幅広に形成することが可能である。
ここで、文字等を記載する際に把持される把持部は、把持しやすい円柱状の胴体部６２に設けられおり、違和感なく胴体部６２を把持して文字等の記載をすることができる。
【００３４】
以上、本考案の実施の形態を説明したが、本考案は、上記した形態に限定されるものでなく、要旨を逸脱しない条件の変更等は全て本考案の適用範囲である。
例えば、棒状化学発光体を嵌入する収納部は、１つに限らず、筆記具本体に複数設けてもよい。また、本実施の形態では穴からなる収納部を設けたが、棒状化学発光体を保持できる構造であればよく、例えば胴体部の外周部に棒状化学発光体が胴体部の軸方向に沿って嵌入する溝を設けて収納部とすることもできる。
更に、筆記具本体に、インクが注入されたカートリッジの代わりにシャープペンシルの芯を入れたカートリッジを備えると共に、シャープペンシルの芯を筆記具本体の先端部から押出す周知の機構を設けることにより、筆記具に、ボールペン機能に代えてシャープペンシル機能を備えさせることもできる。
そして、筆記具本体を衣服のポケットに取り付ける固定フックは、筆記具本体の基部でなく第２のキャップに設けることも可能である。
【符号の説明】
【００３５】
１０：筆記具、１１：筆記具本体、１１ａ：先端部、１１ｂ：基端部、１１ｃ：先部、１１ｄ：基部、１２：収納部、１３：棒状化学発光体、１４：胴体部、１５：ペン先部、１６：第１のキャップ、１７：カートリッジ、１８：底縁部、２０：予備収納部、２４：封筒切り、２５：固定フック、２６：第２のキャップ、２７：拡大レンズ、４０：筆記具、４１：筆記具本体、４２：胴体部、４３：拡大レンズ、４４：カートリッジ、４５：第２のキャップ、６０：筆記具、６１：筆記具本体、６２：胴体部、６３：定規部
【図１】
0003154286.tif 000003
【図２】
0003154286.tif 000004
【図３】
0003154286.tif 000005
【図４】
0003154286.tif 000006
【図５】
0003154286.tif 000007
【図６】
0003154286.tif 000008
【図７】
0003154286.tif 000009
【図８】
0003154286.tif 000010